(57)【要約】【課題】長期に亘って、泥水浸入を防止可能とする。【解決手段】回転軸とその周囲を覆う機器ケースとの間の隙間に配置され、機器ケース側に固定されて回転軸を密封するメインリップと、メインリップよりも機器ケースの外部側で回転軸に嵌合された円筒蓋状のダストカバーの外周筒部の内周面との間でダストシール機構を構成するサイドリップとを備えるオイルシールにおいて、ダストカバー５の外周筒部５ａの内周面５ａａと摺接する複数の突起６ａ，６ｂをサイドリップ６の先端部に備え、複数の突起６ａ，６ｂは、突起６ａ，６ｂの間にグリース等の潤滑剤を保持するグリースポケット９を形成すると共に、突起６ａ，６ｂのダストカバー外空間側の外側壁面１１とダストカバー５の外周筒部５ａの内周面５ａａとの成す角αが、ダストカバー内空間側の内側壁面１２とダストカバー５の外周筒部５ａの内周面５ａａとの成す角βよりも大きくされている。【選択図】図２
2016217534.tif 000002
【特許請求の範囲】
【請求項１】
回転軸とその周囲を覆う機器ケースとの間の隙間に配置され、前記機器ケース側に固定されて前記回転軸を密封するメインリップと、前記メインリップよりも前記機器ケースの外部側で前記回転軸に嵌合された円筒蓋状のダストカバーの外周筒部の内周面との間でダストシール機構を構成するサイドリップとを備えるオイルシールにおいて、前記ダストカバーの前記外周筒部の前記内周面と摺接する複数の突起を前記サイドリップの先端部に備え、前記複数の突起は、突起の間にグリース等の潤滑剤を保持するグリースポケットを形成すると共に、前記突起のダストカバー外空間側の外側壁面と前記ダストカバーの外周筒部の内周面との成す角αが、ダストカバー内空間側の内側壁面と前記ダストカバーの外周筒部の内周面との成す角βよりも大きいことを特徴とするオイルシール。
【請求項２】
前記突起は前記外側壁面と前記内側壁面との間に前記ダストカバー外周筒部の内周面と接触する平坦部を形成したことを特徴とする請求項１記載のオイルシール。
【請求項３】
前記ダストカバー外空間に臨む前記突起と前記ダストカバーの外周筒部の内周面との接触面圧Ｉが前記ダストカバー内空間に臨む前記突起と前記ダストカバーの外周筒部の内周面との接触面圧IIよりも大きいことを特徴とする請求項１または２記載のオイルシール。
【発明の詳細な説明】
【技術分野】
【０００１】
本発明はオイルシールに関する。さらに詳述すると、本発明はダストカバーの外周筒部の内周面との間で泥水が機器内部に浸入しないようにするためのダストシール機構を構成するサイドリップを備えるオイルシールに関する。
【背景技術】
【０００２】
外部から泥水などが浸入する虞のある軸封箇所には、ダストカバーの外周筒部の内周面との間で泥水が機器内部に浸入しないようにするためのダストシール機構を構成するサイドリップがリップシールの外側（泥水が浸入する側）に備えられているオイルシールが使用されることがある。例えば、自動車の終減速機やアクスル（車軸）用のオイルシールでは、図４に示すように、機器内部に泥水が浸入しないようにするためのサイドリップ１０５を有するオイルシール１０１とダストカバー１０６とを組み合わせたものが使用されている（特許文献１，２）。
【０００３】
このオイルシール１０１は、回転軸１０２とその周囲を覆う機器ケース１０３との間の隙間に配置され、機器ケース１０３側に固定されて回転軸１０２を密封するメインリップ１０４と、メインリップ１０４よりも機器外部側で回転軸１０２に嵌合された円筒蓋状のダストカバー１０６の外周筒部１０６ａの内周面１０６ａａとの間でダストシール機構を構成するサイドリップ１０５とを備える。尚、図中の符号１０７は金属環、１０９はダストカバー１０６とオイルシール１０１（隔壁部）との間の開口である。
【先行技術文献】
【特許文献】
【０００４】
【特許文献１】実開昭５７−７２３２８号公報
【特許文献２】実開昭６２−１４０２６６号公報
【発明の概要】
【発明が解決しようとする課題】
【０００５】
しかしながら、従来のオイルシールのサイドリップ１０５は、図４に示すように、ダストカバーの外周筒部１０６ａの内周面１０６ａａへの接触がサイドリップ１０５のリップ先端１０８のみの構成である。このため、リップ先端１０８に荷重が集中して摩耗し易く、サイドリップ１０５の耐久性が劣る危険がある。
【０００６】
また、ダストカバーの外周筒部１０６ａの内周面１０６ａａとサイドリップ１０５との接触面にグリース等の潤滑剤が十分に潤滑せず、リップ先端１０８が早期摩耗をしてしまい機器内部へ泥水が浸入してしまう危険性がある。
【０００７】
さらには、従来のオイルシールのサイドリップ１０５は、図５に示すように、ダストカバー１０６の外周筒部１０６ａの内周面１０６ａａとサイドリップ外周面（サイドリップ後面）１０５ａとの間の挟み角（機器内部側の傾斜面の角度）αが、ダストカバーの外周筒部１０６ａの内周面１０６ａａとサイドリップ前面（サイドシールリップ先端よりも内側）１０５ｂとの間の成す角（機器外部側の傾斜面の角度）βよりも小さいため、サイドリップ外周面１０５ａのダストカバーの外周筒部１０６ａの内周面１０６ａａに接触している接触面の面圧ピークがリップ先端１０８側に形成されてしまう面圧分布を形成してしまう。このため、サイドリップ１０５の接触面が泥水の浸入方向に働いてしまい、泥水を機器内部側に吸い込み易くなり、機器内部へ泥水が浸入してしまう。
【０００８】
本発明は、長期に亘って、円筒蓋状のダストカバーの外周筒部の内周面とサイドリップとの接触部から泥水が浸入することを防止することができるオイルシールを提供することを目的とする。
【課題を解決するための手段】
【０００９】
かかる目的を達成するために請求項１記載の発明は、回転軸とその周囲を覆う機器ケースとの間の隙間に配置され、機器ケース側に固定されて回転軸を密封するメインリップと、メインリップよりも機器ケースの外部側で回転軸に嵌合された円筒蓋状のダストカバーの外周筒部の内周面との間でダストシール機構を構成するサイドリップとを備えるオイルシールにおいて、ダストカバーの外周筒部の内周面と摺接する複数の突起をサイドリップの先端部に備え、複数の突起は、突起の間にグリース等の潤滑剤を保持するグリースポケットを形成すると共に、突起のダストカバー外空間側の外側壁面とダストカバーの外周筒部の内周面との成す角αが、ダストカバー内空間側の内側壁面とダストカバーの外周筒部の内周面との成す角βよりも大きくなるようにしている。
【００１０】
また、サイドリップの突起は外側壁面と内側壁面との間にダストカバーの外周筒部の内周面と接触する平坦部を形成することが好ましい。
【００１１】
さらに、本発明にかかるオイルシールによれば、ダストカバー外空間に臨む突起とダストカバーの外周筒部の内周面との接触面圧Ｉがダストカバー内空間に臨む突起とダストカバーの外周筒部の内周面との接触面圧IIよりも大きいことが好ましい。
【発明の効果】
【００１２】
請求項１記載のオイルシールによれば、複数の突起でダストカバーの外周筒部の内周面に接触しているので、１つの突起にかかる接触面圧を分散させることができると共に、複数の突起の間のグリースポケットにグリース等の潤滑剤を保持することができるので、突起の接触面の潤滑状態が良好になり、突起が摩耗しにくくなる。このため、サイドリップの先端の早期摩耗が抑制できるようになり、オイルシールの耐久性を向上させることができる。
【００１３】
また、突起のダストカバー外空間側の外側壁面とダストカバーの外周筒部の内周面との成す角αが、ダストカバー内空間側の内側壁面とダストカバーの外周筒部の内周面との成す角βよりも大きくなるようにしているので、ダストカバーの外周筒部の内周面に接触しているサイドリップの突起の接触面の面圧ピークがラビリンスリップとサイドリップの間に形成されるサイドリップの周りの空間側（泥水接触側）に形成され維持し続けられることから、突起の接触面から泥水が浸入したとしても泥水をサイドリップの周りの空間側に排出し易くなる。
【００１４】
請求項２記載のオイルシールによれば、サイドリップの突起の外側壁面と内側壁面との間にダストカバーの外周筒部の内周面と接触する平坦部を形成しているので、面接触でダストカバーの外周筒部の内周面に接触することができる。このため、突起とダストカバーの外周筒部の内周面との接触面は、線接触とならないため、面圧分布は良好になり、機器内部側即ちラビリンスリップとサイドリップの間に形成されるサイドリップの周りの空間側（泥水接触側）にピーク面圧を維持し続けられる。また、線接触で接触するサイドリップと同じ締代の場合、線接触で接触するものと比べ面接触では突起とダストカバーの外周筒部の内周面との接触面の接触幅が長くなり、サイドリップの先端部では面圧を下げることができる。
【００１５】
また、請求項３記載のオイルシールによれば、ダストカバー外空間に臨む突起とダストカバーの外周筒部の内周面との接触面圧Ｉがダストカバー内空間に臨む突起とダストカバーの外周筒部の内周面との接触面圧IIよりも大きい面圧関係（Ｉ＞II）にすることで、ダストカバー外空間に臨む突起即ち泥水接触側の突起による密封性を確保しやすくなると共に、泥水接触側の突起の摩耗後の面圧が低下してもダストカバー内空間側にある突起即ちダストカバー内空間に臨む突起の面圧が高まるため、長期的なシール性を確保することができる。
【図面の簡単な説明】
【００１６】
【図１】本発明のオイルシールの一実施形態を示す中央縦断面図である。
【図２】本発明のオイルシールのサイドリップ部分の拡大図であり、（ａ）はダストカバーの外周筒部の内周面に接触した状態、（ｂ）はダストカバーの外周筒部の内周面に接触していない自然状態のサイドリップ先端部分を拡大図して示す。
【図３】本発明のオイルシールの一実施形態の自然状態を示す中央縦断面図である。
【図４】従来のオイルシールの一実施形態を示す中央縦断面図である。
【図５】従来のオイルシールのサイドリップ部分のダストカバーの外周筒部の内周面に接触した状態の拡大図である。
【発明を実施するための形態】
【００１７】
以下、本発明の構成を図面に示す実施形態に基づいて詳細に説明する。
【００１８】
図１に、本発明のオイルシールの実施形態の一例を示す。このオイルシール１は、外部から泥水などが浸入する虞のある軸封箇所、例えば回転軸２とその周囲を覆う機器ケース３との間の隙間に配置され、機器ケース３側に固定されて回転軸２を密封するメインリップ４と、メインリップ４よりも機器ケース３の外部側で回転軸２に嵌合された円筒蓋状のダストカバー５の外周筒部５ａの内周面５ａａとの間でダストシール機構を構成するサイドリップ６とを備えるものである。尚、図中の符号１４は回転軸２と機器ケース３との間の隙間を仕切る隔壁部、符号１５は外周部１６及び隔壁部１４を補強する金属環である。
【００１９】
サイドリップ６は、図１に示すように、ダストカバーの外周筒部の内周面５ａａに接触する複数の突起例えばダストカバー外空間側突起６ａと、ダストカバー内空間側突起６ｂとが設けられると共に、サイドリップ６の先端部のダストカバー外空間側突起６ａと、サイドリップ６の先端部のダストカバー内空間側突起６ｂの間には、グリース等の潤滑剤を保持することができるグリースポケット９が形成されている。この場合、リップ先端のみで接触するものに比べてサイドリップ６の接触面圧を複数の突起例えばダストカバー外空間側突起６ａとダストカバー内空間側突起６ｂとに分散させることができると共に、サイドリップ６とダストカバー５との接触面に潤滑剤が供給され、接触面の潤滑状態が良好になるため、サイドリップ６の早期摩耗を抑制できる。
【００２０】
また、サイドリップ６は、隔壁部１４の外側の面に機器外部側のダストカバー５に向けて突出するように形成されている。このサイドリップ６は、本実施形態の場合、先端側へ向かうに従って外径及び内径の双方が広がるように円錐形状に形成され、先端部分に設けられた複数の突起６ａ，６ｂが円筒蓋状のダストカバー５の外周筒部５ａの内周面５ａａに径方向外側へ押し当てられるように付勢する嵌め代が得られると共に、浸入してきた泥水特に上方側において浸入してきた泥水が突起６ａ，６ｂ側へ向かい難くなるような上向きの傾斜面となるように設けられている。勿論、サイドリップ６の形状は、図示のような末広がりな円錐形状に限られるものではなく、先端側の複数の突起６ａ，６ｂがダストカバー５の外周筒部５ａの内周面５ａａと摺接しながらダストカバー５の外周筒部５ａの内周面５ａａとの間でダストシール機構を構成し得るほぼ円筒形状のものであっても良い。
【００２１】
サイドリップ６の先端部のダストカバー外空間側突起６ａ及びダストカバー内空間側突起６ｂは、図２（ｂ）に示すように、ダストカバー外空間１０側の外側壁面（本明細書では単に外側壁面と呼ぶ）１１とダストカバー外周筒部５ａの内周面５ａａとの成す角α，α’が、ダストカバー内空間１７側の内側壁面（単に内側壁面と呼ぶ）１２とダストカバー外周筒部５ａの内周面５ａａとの成す角β，β’よりも大きくなるように形成されている。この場合、ダストカバー５の外周筒部５ａの内周面５ａａに接触しているサイドリップ６の突起６ａ，６ｂの接触面の面圧ピークが、図２（ａ）に示すように、ラビリンスリップ８とサイドリップ６の間に形成されるサイドリップ６の周りの空間１０側（泥水接触側とも呼ばれる）に形成され維持し続けられることから、突起６ａ，６ｂのダストカバー外周筒部５ａの内周面５ａａに対する接触面から泥水が浸入したとしても、泥水をサイドリップ６の周りの空間１０側へ向けて排出し易くなる。
【００２２】
ここで、ダストカバー外空間側突起６ａにおいては、外側壁面１１とダストカバー５の外周筒部５ａの内周面５ａａとの成す角度αが、少なくとも６０°〜１００°の範囲、好ましくは７０°〜９５°の範囲、より好ましくは８０°〜９５°の範囲、さらに好ましくは９０°前後、最も好ましくは９０°に設定されることが望ましい。６０°未満の場合には、突起６ａの先端即ち平坦面１３ではなく、外側壁面１１がダストカバー５と接触してしまう虞がある。外側壁面１１が接触した場合には泥水接触側の面圧の方が低くなってしまう。他方、１００°超過の場合には、ダストカバーと突起６ａとが接触した際に、突起６ａが泥水接触側に傾向き易くなり、ダストカバーと突起との接触面圧において泥水接触側の接触面圧が低くなり、密封性が確保できなくなる虞がある。
【００２３】
また、ダストカバー外空間側突起６ａにおいては、内側壁面１２とダストカバー５の外周筒部５の内周面５ａａとの成す角度βが、３０°〜７５°の範囲、好ましくは３５°〜６０°の範囲、より好ましくは４０°〜５０°の範囲、さらに好ましくは４５°前後、最も好ましくは４５°に設定されることが望ましい。３０°未満の場合には、突起６ａの先端即ち平坦面１３ではなく、内側壁面１２がダストカバー５と接触してしまう虞がある。内側壁面１２が接触した場合には泥水接触側の面圧の方が低くなってしまう。他方、７５°超過の場合には、突起６ａが薄くなり、ダストカバー内空間側に突起６ａが折れ曲がる危険性がある。
【００２４】
さらに、ダストカバー内空間側突起６ｂにおいては、外側壁面１１とダストカバー５の外周筒部５ａの内周面５ａａとの成す角度α´が、６０°〜１００°の範囲、好ましくは７０°〜９５°の範囲、より好ましくは８０°〜９５°の範囲、さらに好ましくは９０°前後、最も好ましくは９０°に設定されることが望ましい。６０°未満の場合には、突起６ｂの先端即ち平坦面１３ではなく、外側壁面１１がダストカバーと接触してしまう虞がある。また、外側壁面１１が接触した場合には泥水接触側の面圧の方が低くなってしまう。他方、１００°超過の場合には、ダストカバーと突起６ｂとが接触した際に、突起６ｂが泥水接触側に傾向き易くなり、ダストカバーと突起との接触面圧において泥水接触側の接触面圧が低くなり、密封性が確保できなくなる虞がある。
【００２５】
また、ダストカバー内空間側突起６ｂにおいては、内側壁面１２とダストカバーの外周筒部の内周面５ａａとの成す角度β´が、３．５°〜６０°の範囲、好ましくは、１０°〜６０°の範囲、より好ましくは３５°〜５０°の範囲、さらに好ましくは４０〜５０°の範囲、最も好ましくは４５°程度とすること設定されることが望ましい。３．５°未満の場合には、ダストカバー５への挿入時にサイドリップ６が泥水接触側に折れ曲がって装着されてしまう危険性がある。他方、６０°超過の場合には、突起６ｂの先端がダストカバー内空間１７側に反転し、外側壁面１１がダストカバー５に接触する構成になってしまう。外側壁面１１が接触した場合には泥水接触側の面圧の方が低くなってしまう。
【００２６】
尚、本実施形態においては、説明の便宜上、ダストカバー外空間側突起６ａにおけるダストカバー５の外周筒部５ａの内周面５ａａを基準とした外側壁面１１との成す角αと内側壁面１２との成す角βとの関係について、ダストカバー内空間側突起６ｂにおいては異なる符号α’及びβ’を用いて説明しているが、角度関係（α＞β）と（α’＞β’）とは本質的には同じ角度関係を意味しているものである。また、角度関係（α＞β）並びに（α’＞β’）は特定の比に限られるものではないが、その差が大きいほどに浸入泥水の排出効果が期待できる。
【００２７】
また、ダストカバー外空間側突起６ａとダストカバー５の外周筒部５ａの内周面５ａａとの接触面圧Ｉが、ダストカバー内空間側突起６ｂとダストカバー５の外周筒部５ａの内周面５ａａとの接触面圧IIよりも大きくすることが好ましい。例えば、図１に例示するような内径一定の円筒形のダストカバー５の内周面５ａａと摺接する場合、ダストカバー外空間側突起６ａの径方向高さＴ１と、ダストカバー内空間側突起６ｂ の径方向高さＴ２との関係が０．９×Ｔ２≦Ｔ１≦Ｔ２となるように設定することで、上述の面圧の関係が得られる。上記寸法関係にすることで、突起６ｂがダストカバー５に嵌め込まれた状態では径方向内側に撓むことで、突起６ａが径方向外側に張り出される構成になり、突起６ａの接触面圧が突起６ｂよりも高めやすくなる。０．９Ｔ２＞Ｔ１の関係の場合には、突起６ａがダストカバー５の内周面５ａａと非接触もしくは接触しても面圧が非常に小さなものとなることから、十分な密封性を確保できなくなる不具合の発生する可能性が高くなる。他方、Ｔ２＜Ｔ１の関係の場合には、突起６ｂがダストカバー５の内周面５ａａと非接触もしくは接触しても、面圧が非常に小さなものとなることから、十分な密封性を確保できなくなる不具合の発生する可能性が高くなる。尚、上述とは逆の面圧関係（I＜II）となると、泥水接触側の突起６ａの面圧は低いものになり易くなると共に、サイドリップ６の先端部のダストカバー外空間側突起６ａと外側壁面１１との接触部分に異物が噛みこまれやすくなる危険性が高くなる。
【００２８】
さらに、突起６ａ，６ｂの外側壁面１１と内側壁面１２との間には各々平坦部１３を形成することが好ましい。ダストカバー外周筒部５ａの内周面５ａａと接触する突起６ａ，６ｂの先端が線接触となる角で構成される場合には、装着時初期はサイドリップ６の周りの空間１０側（泥水接触側）にピーク面圧を設定できる。しかしながら、突起６ａ，６ｂの先端が角の場合は、ダストカバー５への装着時に角がダストカバー５に引っ掛かり外側壁面１１側に折れ曲がりやすく、折れ曲がったまま装着されてしまうことで面圧ピークを空間１０側（泥水接触側）に設定できなくなる危険性がある。したがって、突起６ａ，６ｂのカバーの外周筒部の内周面に接触する部位は、平坦面にすることが望ましい。
【００２９】
ここで、平坦部１３は、リップ先端が線状とならずに面接触するような接触面を構成するものであれば良く、特に平滑で平面度の高い面を求めているものでは無く、微小な凹凸や曲面等を有していても、全体としてダストカバー外周筒部５ａの内周面５ａａに面接触することができる接触面を構成できるものであれば良い。本実施形態において平坦部１３の幅は、０．１mmから０．５mmであり、好ましくは、０．２mm〜０．４mmである。０．１mm未満の場合、通常のシールのようにリップ先端で線接触させる場合と変わらないため、上述したような不具合が発生してしまう。他方、０．５mm超過の場合、接触幅が大きくなり過ぎて、リップ接触部の空間１０側（泥水接触側）の面圧ピークの面圧が低下し、泥水に対するシール性を十分に確保できなくなってしまう。
【００３０】
また、サイドリップ６の径方向外側の隔壁部１４には、ダストカバー５の外周筒部５ａの外周面５ａｂと対向する（包囲する）と共に、ダストカバー５とオイルシール１（隔壁部１４）との間の開口７を覆う円筒状のラビリンスリップ８が設けられている。このラビリンスリップ８は、単なる円筒状であっても良いが、好ましくは先端側に向かって肉薄に形成され径方向に可撓性を有していることであり、より好ましくはラビリンスリップ８の内周面８ａが先端側に向かって内径を広げるテーパ面に形成されていることである。
【００３１】
なお、上述の形態は本発明の好適な形態の一例ではあるがこれに限定されるものではなく本発明の要旨を逸脱しない範囲において種々変形実施可能である。例えば、本実施形態にかかるオイルシール１では、ダストカバー外空間側突起６ａとダストカバー内空間側突起６ｂとの２つの突起を備えた例を挙げて主に説明したが、これに限定されるものではなく、場合によっては３つ以上の突起を備えるようにしても良い。この場合におけるダストカバー外空間側突起６ａとダストカバー内空間側突起６ｂとの間の突起（図示省略）における、ダストカバー５の外周筒部５ａの内周面５ａａを基準とした外側壁面１１との成す角αと内側壁面１２との成す角βとの関係については、特に限定されるものではないが、上述の角度αとβの範囲内あるいはα’とβ’の範囲内、若しくはそれらの中間の値の範囲内で適宜設定されて、同じ角度関係α＞β（α’＞β’）とされると共にそれらの角度の差（α−β）が大きくされることが好ましい。
【００３２】
また、面圧の大きさの関係は、泥水浸入側であるダストカバー外空間側突起６ａの面圧が最も大きく、それよりも内側即ち内空間側の突起の面圧が小さく設定されることが好ましい。例えば、３つの突起を設ける場合には、ダストカバー外空間側突起６ａの面圧Ｉとダストカバー内空間側突起６ｂの面圧IIIとそれらの間の突起（図示省略）の面圧IIとすれば、３つの突起の面圧の関係は（Ｉ＞II＞III）または（Ｉ＞II≧III）若しくは（Ｉ＞II＝III）あるいは（Ｉ＞II＜III）の何れでも良いが、好ましくは（Ｉ＞II＞III）と順次小さくすることである。この場合、最も泥水接触側の突起６ａのシールが破られても、その１つ内側の突起、さらにはその１つ内側の突起と、順次シールとしての機能を発揮するため、長期に亘って、泥水浸入を防止可能とすることができる。
【００３３】
また、図示していないが、各突起例えば突起６ａ、６ｂあるいは図示していない第３の突起のダストカバー内空間側の内側壁面１２は、一方向または正逆両方向のらせん状凹凸（ネジ突起もしくは溝など）を形成するヘリックス構造としても良い。この場合、泥水が侵入したとしても泥水密封側に泥水を排出しやすくなる。
【符号の説明】
【００３４】
１  オイルシール
２  回転軸
３  機器ケース
４  メインリップ
５  ダストカバー
５ａ  ダストカバーの外周筒部
５ａａ  ダストカバーの外周筒部の内周面
５ａｂ  ダストカバーの外周筒部の外周面
６  サイドリップ
６ａ  サイドリップの先端部のダストカバー外空間側突起
６ｂ  サイドリップの先端部のダストカバー内空間側突起
７  ダストカバーとオイルシールとの間の開口
８  ラビリンスリップ
８ａ  ラビリンスリップの内周面
９  グリースポケット
１０  突起の外側壁面が臨むサイドリップの周りの空間（ダストカバー外空間）
１１  ダストカバー外空間に臨む外側壁面
１２  ダストカバー内空間に臨む内側壁面
１３  平坦部
１４  オイルシールの隔壁部
１５  金属環
１６  外周部
１７  ダストカバー内空間
【図１】
2016217534.tif 000003
【図２】
2016217534.tif 000004
【図３】
2016217534.tif 000005
【図４】
2016217534.tif 000006
【図５】
2016217534.tif 000007